(57)【要約】  調理器具であって、分散して設けられた加熱領域、水路領域及び回路領域が内部に画定されているケース（１０）と、回路領域に配置される回路システムと、集積水路モジュール（３０）とを含み、集積水路モジュール（３０）は、水路領域に配置され、内部に給水通路（３１３）及び排水通路（３１４）が設けられている水路ベース（３１）と、水路ベース（３１）に取り付けられるとともに給水通路（３１３）と連通する給水アセンブリと、水路ベース（３１）に取り付けられるとともに排水通路（３１４）と連通する排水アセンブリとを含む。該調理器具は、水路素子を一体に集積して集積水路モジュールを形成することで、水路素子のモジュール化を実現し、構造がコンパクトで、取り付けが簡単であり、かつジョイント部位を減らし、さらに漏水のリスクを低減する。また、集積水路モジュール（３０）と回路システムとをそれぞれ水路領域と回路領域とに配置することにより、水と電気との分離を実現し、製品の安全性及び使用信頼性を向上させる。
2021517845.tif 000002
【特許請求の範囲】
【請求項１】
分散して設けられた、加熱領域と水路領域と回路領域とが内部に画定されているケースと、
前記回路領域に配置される回路システムと、
内部に給水通路と排水通路が設けられている水路ベースと、
前記水路ベースに取り付けられるとともに前記給水通路と連通する給水アセンブリと、  前記水路ベースに取り付けられるとともに前記排水通路と連通する排水アセンブリとを含み、前記水路領域に配置される集積水路モジュールとを含む調理器具。
【請求項２】
前記水路領域は、前記調理器具の縁に近い請求項１に記載の調理器具。
【請求項３】
前記水路領域は、前記調理器具の後縁に近い請求項２に記載の調理器具。
【請求項４】
前記ケース内には、前記水路領域と離間して設けられた貯蔵領域がさらに画定され、前記調理器具は、前記貯蔵領域に配置された材料貯蔵装置をさらに含み、前記貯蔵領域と前記水路領域との間の距離は前記回路領域と前記水路領域との間の距離よりも大きく、及び／又は
前記調理器具は、前記加熱領域に設けられた材料洗浄装置をさらに含み、前記加熱領域は、前記水路領域に隣接して設けられ、及び／又は
前記回路システムは、少なくとも１つの集積回路モジュールを含み、前記回路領域の数は、前記集積回路モジュールの数と等しく、かつ、１対１に対応し、及び／又は
前記給水アセンブリは電磁弁を含み、前記水路ベースには前記給水通路と連通する２つの第１接続孔が設けられ、前記電磁弁の給水端と排水端はそれぞれ２つの前記第１接続孔に接続されて、前記給水通路の開閉を制御し、及び／又は
前記給水アセンブリは流量計を含み、前記水路ベースには前記給水通路と連通する２つの第２接続孔が設けられ、前記流量計の給水端と排水端はそれぞれ２つの前記第２接続孔に接続され、及び／又は
前記排水アセンブリは吸引ポンプを含み、前記水路ベースには前記排水通路と連通する２つの第３接続孔が設けられ、前記吸引ポンプの給水端と排水端はそれぞれ２つの前記第３接続孔に接続されている請求項１から３のいずれか一項に記載の調理器具。
【請求項５】
前記水路ベースは順番に組み合わせて接続された複数の筐体を含み、隣接する前記筐体のうちの少なくとも１つには複数のバッフルが設けられ、複数の前記バッフルにより流体通路を画定し、前記流体通路と、それに隣接する前記筐体とを組み合わせして前記給水通路及び／又は前記排水通路を形成する請求項１から３のいずれか一項に記載の調理器具。
【請求項６】
前記バッフルの厚さは２ｍｍ〜６ｍｍの範囲内であり、及び／又は
前記筐体の数は２つであり、及び／又は
前記筐体の耐水圧は３．２ＭＰａ以上である請求項５に記載の調理器具。
【請求項７】
複数の前記筐体は溶接により成型された一体構造である請求項５に記載の調理器具。
【請求項８】
隣接する前記筐体間の溶接の深さは２ｍｍ〜６ｍｍの範囲内である請求項７に記載の調理器具。
【請求項９】
前記給水通路の両端は、それぞれ第１給水口及び第２給水口として形成され、前記第１給水口は前記調理器具の内部配管に接続するために用いられ、前記第２給水口は外部配管に接続するために用いられ、
前記排水通路の両端は、それぞれ第１排水口と第２排水口として形成され、前記第１排水口は前記調理器具の内部配管に接続するために用いられ、前記第２排水口は外部配管に接続するために用いられる請求項１から３のいずれか一項に記載の調理器具。
【請求項１０】
前記第２給水口及び前記第２排水口の開口は下向きであり、前記調理器具はそれぞれ前記第２給水口及び前記第２排水口に取り付けられた２つのＬ字状ジョイントをさらに含み、前記Ｌ字状ジョイントの一端は前記水路ベースに取り外し可能に接続され、前記Ｌ字状ジョイントの他端は前記外部配管に接続するために用いられる請求項９に記載の調理器具。
【請求項１１】
前記水路ベースには、前記Ｌ字状ジョイント及び前記外部配管が挿着するための挿着部が設けられている請求項１０に記載の調理器具。
【請求項１２】
前記集積水路モジュールの底部には漏水検知領域が設けられ、前記漏水検知領域には漏水検知装置が設けられている請求項１から３のいずれか一項に記載の調理器具。
【請求項１３】
前記漏水検知装置は、第１漏水検知電極及び第２漏水検知電極を含み、
前記第１漏水検知電極及び前記第２漏水検知電極は、前記回路システムの制御ボードに電気的に接続され、前記制御ボードが検知結果に応じて前記調理器具の動作を制御するように、前記漏水検知領域の漏水の有無を検知して、前記検知結果を前記制御ボードに送信することに用いられる請求項１２に記載の調理器具。
【請求項１４】
前記調理器具は、前記制御ボードに電気的に接続され、前記漏水検知装置が前記漏水検知領域の漏水を検知したときに警報を発信することができる警報装置をさらに含み、及び／又は
前記漏水検知領域には２つの取り付け用係止位置が設けられ、前記第１漏水検知電極及び前記第２漏水検知電極はそれぞれ２つの前記取り付け用係止位置に係着される請求項１３に記載の調理器具。
【請求項１５】
前記集積水路モジュールの外側には水路ハウジングがさらに設けられ、前記水路ハウジングの前記漏水検知領域に対応する部位に漏水孔が設けられている請求項１３に記載の調理器具。
【請求項１６】
前記水路ハウジングの内底壁に上向きに延伸する内部突起が設けられ、前記内部突起内には前記漏水孔と連通する貫通孔が設けられ、かつ、前記内部突起の最高点は前記第１漏水検知電極及び前記第２漏水検知電極の最低点よりも高く、及び／又は
前記水路ハウジングの外底壁には下向きに延伸する外部突起が設けられ、前記ケースの底部には排水孔が設けられ、前記外部突起は前記排水孔まで延伸し、かつ、前記外部突起内には前記漏水孔及び前記排水孔に連通する貫通孔が設けられている請求項１５に記載の調理器具。
【発明の詳細な説明】
【技術分野】
【０００１】
本願は、２０１８年６月１３日に中国特許庁に提出された、出願番号が２０１８１０６０５０９０５であり、発明の名称が「調理器具」である中国特許出願、及び２０１８年０６月１３日に中国特許庁に提出された、出願番号が２０１８２０９１０３８７８であり、発明の名称が「調理器具」である中国実用新案出願の優先権を主張し、その内容の全てを援用することにより本願に取り入れる。
【０００２】
本願は、キッチン用家電技術分野に関し、具体的には、調理器具に関する。
【背景技術】
【０００３】
現在、自動炊飯器などの従来のスマート調理器具では、水路に関する各素子間は管路を介して接続され、各部材と管路を取り付ける必要があり、脱落を防止するためにジョイントを結束バンドで密閉する必要があり、釜本体内への取り付けプロセスが非常に複雑で、かつ、ジョイント箇所が多すぎて漏水のリスクが高くなる。また、構造が分散し、占有スペースが大きく、電気素子との間の距離が小さく、電気素子との接触による悪影響を与えやすい。
【発明の概要】
【発明が解決しようとする課題】
【０００４】
本願は、上記の技術的問題の少なくとも１つを解決するために、調理器具を提供することを目的とする。
【課題を解決するための手段】
【０００５】
上記の目的を実現するために、本願にて提供される調理器具は、分散して設けられた加熱領域、水路領域及び回路領域が内部に画定されているケースと、前記回路領域に配置される回路システムと、集積水路モジュールとを含む。前記集積水路モジュールは、前記水路領域に配置され、内部に給水通路と排水通路が設けられている水路ベースと、前記水路ベースに取り付けられるとともに前記給水通路と連通する給水アセンブリと、前記水路ベースに取り付けられるとともに前記排水通路と連通する排水アセンブリとを含む。
【０００６】
本願にて提供される調理器具は、水路素子を一体に集積して集積水路モジュールを形成することで、水路素子のモジュール化を実現し、構造がコンパクトで、取り付けが簡単であり、かつジョイント部位を減らし、さらに漏水リスクを低減する。また、集積水路モジュールと回路システムとがそれぞれ水路領域と回路領域とに配置されることにより、水路領域と回路領域が分散して設置されるため、水と電気の分離を実現し、製品内部の漏水による回路の短絡危険性が低減され、製品の安全性及び使用信頼性を向上させる。
【０００７】
具体的には、調理器具は、ケースと、回路システムと、集積水路モジュールとを含む。ケース内には、加熱領域、水路領域及び回路領域が画定されており、内鍋等の発熱部材は加熱領域に配置される。回路システムは、回路領域に配置される。集積水路モジュールは、水路領域に配置される。加熱領域、水路領域及び回路領域は分散して設置されるため、すなわち、重なることも、交差する領域もないため、水と電気の分離を効果的に実現して、水路素子と回路素子の接触による悪影響の可能性を低減させ、製品の安全性及び使用信頼性が向上る。集積水路モジュールは、水路ベースと、給水アセンブリと、排水アセンブリとを含む。水路ベースは、取り付け用キャリアとして、給水アセンブリと排水アセンブリとがいずれも水路ベースの上に取り付けられ、水路素子のモジュール化を実現し、構造がコンパクトで、取り付けが簡単である。水路ベースには、給水通路と排水通路が設けられ、給水通路は給水アセンブリに接続され、排水通路は排水アセンブリに接続されているため、調理器具の給水及び排水機能の正常な動作を保証するだけでなく、水路配管の数及び／又は長さも低減するので、ジョイント箇所を減すことができ、さらに漏水リスクを低減し、製品の安全性及び使用信頼性をより向上させる。
【０００８】
また、本願にて提供される上記の技術的手段における調理器具は、以下の付加的な技術的特徴をさらに有してもよい。
【０００９】
上記の技術的手段において、前記水路領域は前記調理器具の縁に近い。
【００１０】
水路領域が調理器具の縁に近い場合、相応して、集積水路モジュールは調理器具の縁に近い領域に配置される。これにより、集積水路モジュールと外部環境との間の距離を短くすることができ、集積水路モジュールが外部水源に接続して給水機能を実現することが容易になっただけでなく、集積水路モジュールが外部環境に接続して迅速な排水を実現することも容易になった。
【００１１】
上記の技術的手段において、前記水路領域は、前記調理器具の後縁に近い。
【００１２】
水路領域が調理器具の後縁に近い場合、相応して、集積水路モジュールは調理器具の後縁に近い位置に配置される。集積水路モジュールが外部環境に接続されている場合、通常、集積水路モジュールが外部配管と接続するように、相応のインターフェースをハウジングに設ける必要があり、相応して、ハウジング上のインターフェースもハウジングの後部に設けることができるため、隠しやすく、外部配管も製品の後ろに隠すことができるため、製品の美観を向上させる。
【００１３】
上記いずれか一つの技術的手段において、前記ケース内には、前記水路領域と離間して設けられた貯蔵領域がさらに画定され、前記調理器具は、前記貯蔵領域に配置された材料貯蔵装置をさらに含み、かつ、前記貯蔵領域と前記水路領域との間の距離は前記回路領域と前記水路領域との間の距離よりも大きく、及び／又は、前記調理器具は、前記加熱領域に設けられた材料洗浄装置をさらに含み、かつ、前記加熱領域は、前記水路領域に隣接して設けられ、及び／又は、前記回路システムは、少なくとも１つの集積回路モジュールを含み、前記回路領域の数は、前記集積回路モジュールの数と等しく、かつ、１対１に対応し、及び／又は、前記給水アセンブリは電磁弁を含み、前記水路ベースには前記給水通路と連通する２つの第１接続孔が設けられ、前記電磁弁の給水端と排水端はそれぞれ２つの前記第１接続孔に接続され、前記給水通路の開閉を制御し、及び／又は、前記給水アセンブリは流量計を含み、前記水路ベースには前記給水通路と連通する２つの第２接続孔が設けられ、前記流量計の給水端と排水端はそれぞれ２つの前記第２接続孔に接続され、及び／又は、前記排水アセンブリは吸引ポンプを含み、前記水路ベースには前記排水通路と連通する２つの第３接続孔が設けられ、前記吸引ポンプの給水端と排水端はそれぞれ２つの前記第３接続孔に接続される。
【００１４】
ケース内に貯蔵領域がさらに画定され、貯蔵領域に材料貯蔵装置が配置される。貯蔵領域は水路領域と離間して設けられ、すなわち、重なることも、交差する領域もないため、集積水路モジュールと材料貯蔵装置を離間して設けることを実現し、それにより乾湿分離が実現され、材料貯蔵装置内の材料が湿るか又はカビが発生するリスクを低減することができる。回路システムに比べ、材料貯蔵装置は集積水路モジュールの影響（例えば、距離が近すぎると、水蒸気が材料貯蔵装置に入ることによっても、材料が湿るか又はカビが発生することになる）を受けやすくなっているため、貯蔵領域と水路領域との間の距離を、回路領域と水路領域との間の距離よりも大きく（例えば、回路領域を水路領域と貯水領域との間に設ける）し、相応して、集積水路モジュールと材料貯蔵装置との間の距離を、集積水路モジュールと回路システムとの間の距離よりも大きくし、これにより、集積水路モジュールと材料貯蔵装置との間の距離を可能な限り大きくし、それにより乾湿分離効果をさらに向上させる。
【００１５】
料理器具は材料洗浄装置をさらに含み、材料洗浄装置は材料を自動的に洗浄するとともに、洗浄後の材料を内鍋に送るために用いられるため、それも加熱領域に配置し、内鍋の上方に位置させ、材料が重力の作用で内鍋に自動的に入ることが容易になり、そして、加熱領域は水路領域に隣接して設けられ、これにより、集積水路モジュールと、材料洗浄装置及び内鍋との間の距離が小さいため、集積水路モジュールが材料洗浄装置及び内鍋に水を送ることが容易になっただけでなく、材料洗浄装置及び内鍋内の水が集積水路モジュールを介して排出されることも容易になり、これにより、調理器具内部の水の流路を効果的に短くし、管路のレイアウトの最適化、製品構造の簡素化に有利である。
【００１６】
回路システムは、少なくとも１つの集積回路モジュールを含み、すなわち、回路システムの回路素子も集積されて、モジュールを形成するので、構造がコンパクトで、取り付けが簡単な利点を有し、集積水路モジュールから充分に分離されることが容易で、それにより水と電気の分離効果をより向上させる。集積回路モジュールの具体的な数については制限せず、例えば、１つ、２つ、３つ、又はそれ以上などであってもよく、具体的には、製品の構造に応じて数を調整できる。好ましくは、材料貯蔵装置と内鍋は並べて設けられ、集積回路モジュールの数が複数である場合、集積回路モジュールの一部は、材料貯蔵装置と内鍋との間に設けられて、材料貯蔵装置と内鍋との間の距離を増加させ、加熱領域内の部材（例えば、内鍋、発熱ディスクなど）が材料貯蔵装置に与える熱影響を低減する。集積回路モジュールの一部は、材料貯蔵装置とケースとの間に設けられて、内鍋と発熱ディスクとの間の距離を増加させ、加熱領域内の部材が回路素子に与える影響を低減する。
【００１７】
給水アセンブリは電磁弁を含み、水路ベースには２つの第１接続孔が設けられ、２つの第１接続孔は給水通路と連通しており、電磁弁の給水端と排水端はそれぞれ２つの第１接続孔に接続され、電磁弁が給水通路に接続されることを保証し、さらに給水通路の開閉を制御する。
【００１８】
給水アセンブリは流量計を含み、水路ベースに２つの第２接続孔が設けられ、２つの第２接続孔は給水通路と連通しており、流量計の給水端と排水端はそれぞれ２つの第２接続孔に接続され、給水通路の水流が流量計を通過することを保証し、それにより給水の流量を計算することにより、調理器具が定量的な給水を実現できる。
【００１９】
排水アセンブリは吸引ポンプを含み、水路ベースには２つの第３接続孔が設けられ、２つの第３接続孔は排水通路と連通しており、吸引ポンプの給水端と排水端はそれぞれ２つの第３接続孔に接続され、吸引ポンプが排水通路に接続されることを保証し、さらに吸引機能を実現する。
【００２０】
上記いずれか一つの技術的手段において、前記水路ベースは順番に組み合わせて接続された複数の筐体を含み、隣接する前記筐体のうちの少なくとも１つには複数のバッフルが設けられ、複数の前記バッフルにより流体通路が画定され、前記流体通路と、それに隣接する前記筐体とが組み合わされて前記給水通路及び／又は前記排水通路が形成される。
【００２１】
水路ベースを順番に組み合わせて接続された複数の筐体に分割し、隣接する筐体の少なくとも一方に複数のバッフルを設け、複数のバッフル間に流体通路が画定されるようにバッフルの位置を合理的に配置することにより、流体通路は、隣接する筐体と組み合わせて給水通路と排水通路の少なくとも一方（複数の流体通路は、隣接する筐体と組み合わせて給水通路と排水通路を形成することが可能である）を形成することが可能である。これにより、部材内部に溝又は孔を開けることを必要とせず、単一の筐体にバッフルを設けるだけでよく、筐体の表面にバッフルを設ける場合が、部材内部に溝や孔を開ける場合に比べて、加工成形が容易となり、水路ベースの成形工程が著しく簡素化されることにより、加工コストを低減する。
【００２２】
上記の技術的手段において、前記バッフルの厚さは２ｍｍ〜６ｍｍの範囲内にあり、及び／又は、前記筐体の数は２つであり、及び／又は、前記筐体の耐水圧は３．２ＭＰａ以上である。
【００２３】
バッフルの厚さが大きすぎると、製品が重くなり、コストが高い。バッフルの厚さが小さすぎると、給水通路や排水通路の耐圧性が小さくなり、配管が破裂しやすい。したがって、バッフルの厚さを合理的に設置することが非常に重要である。当社の技術者らは多くの実験と調査により以下のことを発見した。バッフルの厚さを２ｍｍ〜６ｍｍの範囲内に限定すると、給水通路及び排水通路の耐圧性と使用信頼性を確保するだけでなく、製品の重量と生産コストを両立させることができる。
【００２４】
筐体の数を２つに減らすことにより、水路ベースの構造と生産工程をより簡素化するため、生産コストのさらなる節約に有利である。当然のことながら、筐体の数は３つであっても、４つ以上であってもよく、いずれも本願の目的を実現でき、かつ、いずれも本願の設計思想及び趣旨から逸脱しないため、いずれも本願の保護範囲内にあるものとする。
【００２５】
筐体の耐水圧を３．２ＭＰａ以上にすることで、配管が破裂する危険性を効果的に低減するため、集積水路モジュールの使用信頼性を保証する。
【００２６】
上記の技術的手段において、複数の前記筐体は溶接により成型された一体構造である。
【００２７】
複数の筐体は溶接により一体成型され、溶接構造は隣接する筐体間の接続強度を効果的に保証することができ、水路ベースの漏水の発生確率を効果的に低減することにより、水路ベースの使用信頼性をより向上させる。
【００２８】
上記の技術的手段において、隣接する前記筐体間の溶接深さは２ｍｍ〜６ｍｍの範囲内にある。
【００２９】
隣接する筐体間の溶接深さが小さすぎると、接続の信頼性が不十分になり、配管が破裂しやすい。隣接する筐体間の溶接深さが大きすぎると、コストが高い。したがって、隣接する筐体間の溶接深さを合理的に設置することも非常に重要である。当社の技術者らは多くの実験と調査により以下のことを発見した。隣接する筐体間の溶接深さを２ｍｍ〜６ｍｍの範囲内に限定すると、溶接の信頼性を保証するだけでなく、生産コストも両立させることができる。
【００３０】
上記いずれか一つの技術的手段において、前記給水通路の両端は、それぞれ第１給水口及び第２給水口として形成され、前記第１給水口は前記調理器具の内部配管に接続するために用いられ、前記第２給水口は外部配管に接続するために用いられ、前記排水通路の両端は、それぞれ第１排水口と第２排水口として形成され、前記第１排水口は前記調理器具の内部配管に接続するために用いられ、前記第２排水口は外部配管に接続するために用いられる。
【００３１】
給水通路の両端は、それぞれ第１給水口及び第２給水口として形成され、第２給水口は外部配管に接続するために用いられ、外部の水源（水道水、水タンクなど）が調理器具に水を供給できることを保証し、第１給水口は調理器具の内部配管に接続するために用いられ、集積水路モジュールが、調理器具の必要な部位（内鍋、洗浄キャビティなどの部位）に水を供給できることを保証して、自動給水機能を実現する。
【００３２】
排水通路の両端は、それぞれ第１排水口及び第２排水口として形成され、第１排水口は調理器具の内部配管に接続するために用いられ、第２排水口は外部配管に接続するために用いられ、調理器具内部（内鍋、洗浄キャビティなどの部位）の水が集積水路モジュールに入ることができ、さらに外部配管に到達して排出されることを保証して、自動排水機能を実現する。
【００３３】
上記の技術的手段において、前記第２給水口及び前記第２排水口の開口は下向きであり、前記調理器具はそれぞれ前記第２給水口及び前記第２排水口に取り付けられた２つのＬ字状ジョイントをさらに含み、前記Ｌ字状ジョイントの一端は前記水路ベースに取り外し可能に接続され、前記Ｌ字状ジョイントの他端は前記外部配管に接続するために用いられる。
【００３４】
第２給水口及び第２排水口の開口は下向きであるため、これらの開口構造を隠すことが容易になり、製品の美観を向上させるだけでなく、外部配管を鉛直に上へ向かせて第２給水口及び第２排水口に接続させることが容易になる。これにより、外部配管は台面を貫通して下向きに延伸することができるため、外部配管を隠すことも容易になり、ユーザの使用快適さを向上させる。また、調理器具は２つのＬ字状ジョイントをさらに含み、２つのＬ字状ジョイントはそれぞれ第２給水口及び第２排水口に取り付けられ、Ｌ字状ジョイントにより外部配管の配置方向を変更することができるため、外部配管を調理器具の後側に水平に配置することが容易になり、Ｌ字状ジョイントが水路ベースに着脱可能に接続されるため、ユーザは自分のニーズに応じて外部配管の方向を合理的に選択することができ、それにより異なるユーザの異なるニーズを満たす。
【００３５】
上記の技術的手段において、前記水路ベースには、前記Ｌ字状ジョイント及び前記外部配管が挿着される挿着部が設けられている。
【００３６】
水路ベースにＬ字状ジョイント及び外部配管が挿着される挿着部（配管突起など）が設けられる場合、外部配管又はＬ字状ジョイントを第２給水口及び第２排水口に直接挿着すればよく、挿着方法の着脱手順が簡単で迅速であるため、組立効率の更なる向上に有利である。
【００３７】
上記いずれか一つの技術的手段において、前記集積水路モジュールの底部には漏水検知領域が設けられ、前記漏水検知領域には漏水検知装置が設けられている。
【００３８】
集積水路モジュールの底部には漏水検知領域が設けられ、当該領域に漏水が相対的に発生しやすいため、当該領域に漏水検知装置を設けて集積水路モジュールの漏水の有無を検知することにより、調理器具の安全事故の発生確率をより低減し、製品の安全性及び使用信頼性をより向上させるのに有利である。
【００３９】
好ましくは、漏水検知領域は、電磁弁の給水端及び第２給水口などの給水アセンブリに近く、当該部位で漏水する可能性が高いため、当該部位に漏水検知装置を設けることはより大きい意義を持つ。
【００４０】
上記の技術的手段において、前記漏水検知装置は、第１漏水検知電極及び第２漏水検知電極を含み、前記第１漏水検知電極及び前記第２漏水検知電極は前記回路システムの制御ボードに電気的に接続され、前記制御ボードが検知結果に応じて前記調理器具の動作を制御するように、前記漏水検知領域の漏水の有無を検知して、前記検知結果を前記制御ボードに送信する。
【００４１】
漏水検知装置は第１漏水検知電極及び第２漏水検知電極を含み、第１漏水検知電極及び第２漏水検知電極は回路システムの制御ボードに電気的に接続され、制御ボードが検知結果に応じて調理器具の動作を制御するように、漏水検知領域の漏水の有無を検知して、検知結果を制御ボードに送信することができ、それにより製品の自動化の度合いを向上させる。具体的には、漏水検知領域に漏水が発生した場合、第１漏水検知電極と第２漏水検知電極とが水相を介して導通され、この時、制御ボードは調理器具が動作を停止するように制御して、安全事故の発生を防止する。漏水検知領域に漏水が発生していない場合、第１漏水検知電極と第２漏水検知電極とがオフ状態であり、制御ボードは調理器具が各機能を正常に実行するように制御する。
【００４２】
上記の技術的手段において、前記調理器具は、前記制御ボードに電気的に接続され、前記漏水検知装置が前記漏水検知領域の漏水を検知したときに警報を発信することができる警報装置をさらに含み、及び／又は、前記漏水検知領域には２つの取り付け用係止位置が設けられ、前記第１漏水検知電極及び前記第２漏水検知電極はそれぞれ２つの前記取り付け用係止位置に係着される。
【００４３】
調理器具は警報装置（例えば、ランプ、ブザー、音声報知器など）をさらに含み、警報装置は制御ボードに電気的に接続され、漏水検知装置が漏水検知領域の漏水を検知したとき、警報を発してユーザに通知し、ユーザが即時に電源を遮断するとともに、相応する処置を行いやすく、集積水路モジュールの漏水による悪影響を最大限に低減する。
【００４４】
漏水検知領域に２つの取り付け用係止位置が設けられている場合、組み立て時に、第１漏水検知電極及び第２漏水検知電極をそれぞれ２つの取り付け用係止位置に直接取り付ければよく、組み立てプロセスが簡単で迅速である。
【００４５】
上記の技術的手段において、前記集積水路モジュールの外側には水路ハウジングがさらに設けられ、前記水路ハウジングの前記漏水検知領域に対応する部位に漏水孔が設けられている。
【００４６】
前記集積水路モジュールの外側には水路ハウジングがさらに設けられ、前記水路ハウジングの前記漏水検知領域に対応する部位に漏水孔が設けられ、これにより、漏水検知領域に漏水が発生した場合、水流が漏水孔に沿って下向きに排出されることができ、水流が下向きに漏れやすく、集積水路モジュールの底部に水が溜まることを防ぐ。水路ハウジングは集積水路モジュール全体を覆うため、集積水路モジュールに対して良好な隔離として機能し、これにより、水路素子から漏水しても、調理器具内部の他の領域に噴射せず、水路ハウジングの内壁にのみ噴射し、それにより高電圧回路の危険性を回避し、製品の安全性と使用信頼性をより向上させる。
【００４７】
上記の技術的手段において、前記水路ハウジングの内底壁に上向きに延伸する内部突起が設けられ、前記内部突起内には前記漏水孔と連通する貫通孔が設けられ、かつ、前記内部突起の最高点は前記第１漏水検知電極及び前記第２漏水検知電極の最低点よりも高く、及び／又は、前記水路ハウジングの外底壁には下向きに延伸する外部突起が設けられ、前記ケースの底部には排水孔が設けられ、前記外部突起は前記排水孔まで延伸し、かつ、前記外部突起内には前記漏水孔及び前記排水孔と連通する貫通孔が設けられている。
【００４８】
水路ハウジングの内底壁には上向きに延伸する内部突起が設けられ、内部突起内には漏水孔と連通する貫通孔が設けられる場合、内部突起と水路ハウジングの内底壁との間に水溜まり領域が形成され、第１漏水検知電極及び第２漏水検知電極が漏水状況をより正確に検知することが容易になり、内部突起の最高点が第１漏水検知電極及び第２漏水検知電極の最低点よりも高いため、第１漏水検知電極及び第２漏水検知電極が水溜まり領域の水と接触して、さらに漏水を正確に判定することを保証し、漏る水量が内部突起を超えると、漏水孔から排出することができ、水路ハウジング内に溜まり水が多過ぎることを回避する。
【００４９】
ハウジングの外底壁上には下向きに延伸する外部突起が設けられ、ケースの底部には排水孔が設けられ、外部突起は排水孔まで延伸し、かつ、その内部には漏水孔及び排水孔と連通する貫通孔が設けられる場合、集積水路モジュールから漏れた水は、漏水孔及び排水孔に沿って製品の外部に排出され、調理器具内部に水が溜まることによる危険性を防止するため、製品の安全性及び使用信頼性をより向上させる。当然のことながら、漏水孔の下方に水受け皿等の構造を設けて、水が一定量まで溜まると、水受け皿を取り外して水を捨ててもよい。
【００５０】
上記いずれか一つの技術的手段において、前記調理器具は電気炊飯器である。
【００５１】
当然のことながら、電気炊飯器に限定されず、電気圧力鍋、蒸し用電気鍋、煮込み用電気鍋などであってもよい。
【発明の効果】
【００５２】
本願のほかの態様及び利点は、以下の説明で明確になるか、又は本願を実施することで理解できる。
【００５３】
本願の上記の及び／又はほかの態様及び利点は、以下の図面を参照した実施例の説明から明確になり、容易に理解することができる。
【図面の簡単な説明】
【００５４】
【図１】本願の一部の実施例に係る調理器具の平面構造模式図である。
【図２】本願の一部の実施例に係る集積水路モジュールの分解構造模式図である。
【図３】図２に示す集積水路モジュールの組み立て後の正面構造模式図である。
【図４】図２に示す集積水路モジュールの組み立て後の背面構造模式図である。
【図５】図２に示す集積水路モジュールの組み立て後の底面構造模式図である。
【図６】図２に示す集積水路モジュールの組み立て後の平面構造模式図である。
【図７】図２に示す集積水路モジュールの組み立て後の左側構造模式図である。
【図８】図７のＡ-Ａ線に沿う断面構造模式図である。
【図９】本願の一部の実施例に係る集積水路モジュールとＬ字状ジョイント及び外部配管との組立模式図である。
【図１０】本願の一部の実施例に係る集積水路モジュールと外部配管との組立模式図である。
【図１１】本願の一部の実施例に係る集積水路モジュールと漏水検知装置との組立模式図である。
【図１２】図１１に示す構造の組み立て後の正面構造模式図である。
【図１３】図１２のＢ-Ｂ線に沿う断面構造模式図である。
【図１４】本願の他の実施例に係る集積水路モジュールの正面構造模式図である。
【図１５】図１４のＣ-Ｃ線に沿う断面構造模式図である。
【発明を実施するための形態】
【００５５】
本願の上記目的、特徴及び利点をより明確に理解できるように、以下、添付図面及び具体的な実施形態を参照しながら、本願についてさらに詳しく説明する。なお、本願の実施例及び実施例における特徴は、矛盾しない限り、互いに組み合わせることができる。
【００５６】
以下の説明では、本願を十分に理解するために、多数の具体的な詳細を記載するが、本願は、本明細書に記載された形態と異なる他の形態で実施してもよい。したがって、本願の保護範囲は、以下に開示される具体的な実施例によって限定されるものではない。
【００５７】
以下、図１から図１５を参照しながら、本願の一部の実施例に係る調理器具について説明する。
【００５８】
図１に示すように、本願にて提供される調理器具はケース１０と、回路システムと、集積水路モジュール３０とを含む。
【００５９】
具体的には、一部の実施例では、ケース１０には分散して設けられた加熱領域、水路領域及び回路領域が画定され、回路システムは回路領域に配置され、集積水路モジュール３０は水路領域に配置され、集積水路モジュールは水路ベース３１と、水路ベース３１に取り付けられている給水アセンブリ及び排水アセンブリとを含み、ただし、水路ベース３１内には給水通路３１３と排水通路３１４が設けられ、給水アセンブリは給水通路３１３と連通し、排水アセンブリは排水通路３１４と連通する。
【００６０】
ほかの実施例では、ケース１０内には、分散して設けられた加熱領域、水路領域及び回路領域が画定され、加熱領域には内鍋４０が設けられ、回路システムは回路領域に配置され、集積水路モジュール３０は水路領域に配置され、集積水路モジュールは水路ベース３１と、水路ベース３１に取り付けられている給水アセンブリ及び排水アセンブリとを含み、ただし、水路ベース３１内には給水通路３１３と排水通路３１４が設けられ、給水アセンブリは給水通路３１３と連通し、排水アセンブリは排水通路３１４と連通する。
【００６１】
上記の実施例にて提供される調理器具は、水路素子を一体に集積して集積水路モジュール３０を形成することで、水路素子のモジュール化を実現し、構造がコンパクトで、取り付けが簡単であり、かつジョイント部位を減らし、さらに漏水リスクを低減する。また、集積水路モジュール３０と回路システムとがそれぞれ水路領域と回路領域とに配置されることにより、水路領域と回路領域が分散して配置されるため、水と電気の分離を実現し、製品内部の漏水による回路の短絡危険性が低減され、製品の安全性及び使用信頼性を向上させる。
【００６２】
具体的には、調理器具は、ケース１０と、回路システムと、集積水路モジュール３０とを含む。ケース１０内には、加熱領域、水路領域及び回路領域が画定されており、内鍋４０等の発熱部材は加熱領域に配置される。回路システムは、回路領域に配置される。集積水路モジュール３０は、水路領域に配置される。加熱領域、水路領域及び回路領域は分散して配置されるため、すなわち、重なることも、交差する領域もないため、水と電気の分離を効果的に実現して、水路素子と回路素子の接触による悪影響の可能性を低減させ、製品の安全性及び使用信頼性を向上させる。集積水路モジュール３０は、水路ベース３１と、給水アセンブリと、排水アセンブリとを含む。水路ベース３１は、取り付け用キャリアとして、給水アセンブリと排水アセンブリとがいずれも水路ベース３１の上に取り付けられ、水路素子のモジュール化を実現し、構造がコンパクトで、取り付けが簡単である。水路ベース３１内には、給水通路３１３と排水通路３１４が設けられ、給水通路３１３は給水アセンブリに接続され、排水通路３１４は排水アセンブリに接続されているため、調理器具の給水及び排水機能の正常な動作を保証するだけでなく、水路配管の数及び／又は長さも低減するので、ジョイント箇所を減らすことができ、さらに漏水リスクを低減し、製品の安全性及び使用信頼性をより向上させる。
【００６３】
以下、一部の実施例を参照しながら、本願にて提供される調理器具の具体的な構造について詳細に説明する。
【００６４】
実施例１
図１に示すように、水路領域は調理器具の縁に近い。
【００６５】
水路領域が調理器具の縁に近い場合、相応して、集積水路モジュールは調理器具の縁に近い領域に配置される。これにより、集積水路モジュールと外部環境との間の距離を短くすることができ、集積水路モジュールが外部水源に接続して給水機能を実現することが容易になっただけでなく、集積水路モジュールが外部環境に接続して迅速な排水を実現することも容易になった。
【００６６】
好ましくは、図１に示すように、水路領域は調理器具の後縁に近い。
【００６７】
水路領域が調理器具の後縁に近い場合、相応して、集積水路モジュールは調理器具の後縁に近い位置に配置される。集積水路モジュールが外部環境に接続されている場合、通常、集積水路モジュールが外部配管７２と接続するように、相応のインターフェースをハウジングに設ける必要があり、相応して、ハウジング上のインターフェースもハウジングの後部に設けることができるため、隠しやすく、外部配管７２も製品の後ろに隠すことができるため、製品の美観を向上させる。
【００６８】
さらに、図１に示すように、ケース１０内には、水路領域と離間して設けられた貯蔵領域がさらに画定され、調理器具はさらに、貯蔵領域に配置された材料貯蔵装置６０をさらに含み、かつ、貯蔵領域と水路領域との間の距離は回路領域と水路領域との間の距離よりも大きい。
【００６９】
ケース１０内に貯蔵領域がさらに画定され、貯蔵領域に材料貯蔵装置６０が配置される。貯蔵領域は水路領域と離間して設けられ、すなわち、重なることも、交差する領域もないため、集積水路モジュールと材料貯蔵装置６０を離間して設けることを実現し、それにより乾湿分離が実現され、材料貯蔵装置６０内の材料が湿る又はカビが発生するリスクを低減することができる。回路システムに比べ、材料貯蔵装置６０は集積水路モジュールの影響（例えば、距離が近すぎると、水蒸気が材料貯蔵装置６０に入ることによっても、材料が湿るか又はカビが発生することになる）を受けやすくなっているため、貯蔵領域と水路領域との間の距離を、回路領域と水路領域との間の距離よりも大きく（例えば、回路領域を水路領域と貯水領域との間に設ける）し、相応して、集積水路モジュールと材料貯蔵装置６０との間の距離を、集積水路モジュールと回路システムとの間の距離よりも大きくし、これにより、集積水路モジュールと材料貯蔵装置６０との間の距離を可能な限り大きくし、それにより乾湿分離効果をさらに向上させる。
【００７０】
さらに、図１に示すように、料理器具は、加熱領域に設けられた材料洗浄装置５０をさらに含み、加熱領域は水路領域に隣接して設けられる。
【００７１】
料理器具は材料洗浄装置５０をさらに含み、材料洗浄装置５０は材料を自動的に洗浄するとともに、洗浄後の材料を内鍋４０に送るために用いられるため、それも加熱領域に配置し、内鍋４０の上方に位置させ、材料が重力の作用で内鍋４０に自動的に入ることが容易になり、そして、加熱領域は水路領域に隣接して設けられ、これにより、集積水路モジュールと、材料洗浄装置５０及び内鍋４０との間の距離は小さいため、集積水路モジュールが材料洗浄装置５０及び内鍋４０に水を送ることが容易になっただけでなく、材料洗浄装置５０及び内鍋４０内の水が集積水路モジュールを介して排出されることも容易になり、これにより、調理器具内の水の流路を効果的に短くし、管路のレイアウトの最適化、製品構造の簡素化に有利である。
【００７２】
さらに、図１に示すように、回路システムは、少なくとも１つの集積回路モジュール２０を含み、回路領域の数は、集積回路モジュール２０の数と等しく、かつ１対１に対応している。
【００７３】
回路システムは、少なくとも１つの集積回路モジュール２０を含み、すなわち、回路システムの回路素子も集積されて、モジュールを形成するので、構造がコンパクトで、取り付けが簡単な利点を有し、集積水路モジュール３０から充分に分離されることが容易で、それにより水と電気の分離効果をより向上させる。
【００７４】
集積回路モジュール２０の具体的な数については制限せず、例えば、１つ、２つ、３つ、又はそれ以上などであってもよく、具体的には、製品の構造に応じて数を調整できる。
【００７５】
好ましくは、材料貯蔵装置６０と内鍋４０は並べて設けられ、集積回路モジュール２０の数が複数である場合、集積回路モジュール２０の一部は、材料貯蔵装置６０と内鍋４０との間に設けられ、材料貯蔵装置６０と内鍋４０との間の距離を増加させ、加熱領域内の部材（例えば、内鍋４０、発熱ディスクなど）が材料貯蔵装置６０に与える熱影響を低減する。集積回路モジュール２０の一部は、材料貯蔵装置６０とケース１０との間に設けられて、内鍋４０と発熱ディスクとの間の距離を増加させ、加熱領域内の部材が回路素子に与える影響を低減する。
【００７６】
さらに、図２から図８に示すように、給水アセンブリは電磁弁３２を含み、水路ベース３１には給水通路３１３と連通する２つの第１接続孔３１２１が設けられ、電磁弁３２の給水端と排水端は、それぞれ２つの第１接続孔３１２１に接続され、給水通路３１３の開閉を制御するために用いられる。
【００７７】
給水アセンブリは電磁弁３２を含み、水路ベース３１には２つの第１接続孔３１２１が設けられ、２つの第１接続孔３１２１は給水通路３１３と連通しており、電磁弁３２の給水端と排水端はそれぞれ２つの第１接続孔３１２１に接続され、電磁弁３２が給水通路３１３に接続されることを保証し、さらに給水通路３１３の開閉を制御する。
【００７８】
さらに、図２から図８に示すように、給水アセンブリは流量計３３を含み、水路ベース３１には給水通路３１３と連通する２つの第２接続孔３１２２が設けられ、流量計３３の給水端と排水端はそれぞれ２つの第２接続孔３１２２に接続される。
【００７９】
給水アセンブリは流量計３３を含み、水路ベース３１に２つの第２接続孔３１２２が設けられ、２つの第２接続孔３１２２は給水通路３１３と連通しており、流量計３３の給水端と排水端はそれぞれ２つの第２接続孔３１２２に接続され、給水通路３１３の水流が流量計３３を通過することを保証し、それにより給水の流量を計算することにより、調理器具が定量的な給水を実現できる。
【００８０】
さらに、図２から図８に示すように、排水アセンブリは吸引ポンプ３４を含み、水路ベース３１には排水通路３１４と連通する２つの第３接続孔３１２３が設けられ、吸引ポンプ３４の給水端と排水端はそれぞれ２つの第３接続孔３１２３に接続される。
【００８１】
排水アセンブリは吸引ポンプ３４を含み、水路ベース３１には２つの第３接続孔３１２３が設けられ、２つの第３接続孔３１２３は排水通路３１４と連通しており、吸引ポンプ３４の給水端と排水端はそれぞれ２つの第３接続孔３１２３に接続され、吸引ポンプ３４が排水通路３１４に接続されることを保証し、さらに吸引機能を実現する。
【００８２】
実施例２
実施例１に加えて、さらに、水路ベース３１は順番に組み合わせて接続された複数の筐体を含み、図２に示すように、隣接する筐体の少なくとも一方に複数のバッフル３１１１が設けられ、複数のバッフル３１１１により流体通路が画定され、流体通路とそれに隣接する筐体とが組み合わされて給水通路３１３及び／又は排水通路３１４が形成されることが、実施例１との異なる点である。
【００８３】
水路ベース３１を順番に組み合わせて接続された複数の筐体に分割し、隣接する筐体の少なくとも一方に複数のバッフル３１１１を設け、複数のバッフル３１１１間に流体通路が画定されるようにバッフル３１１１の位置を合理的に配置することにより、流体通路は、隣接する筐体と組み合わせて給水通路３１３と排水通路３１４の少なくとも一方（複数の流体通路は、隣接する筐体と組み合わせて給水通路と排水通路を形成することが可能である）を形成することが可能である。これにより、部材内部に溝又は孔を開けることを必要とせず、単一の筐体にバッフル３１１１を設けるだけでよく、筐体の表面にバッフル３１１１を設ける場合が、部材内部に溝や孔を開ける場合に比べて、加工成形が容易となり、水路ベース３１の成形工程が著しく簡素化されることにより、加工コストを低減する。
【００８４】
好ましくは、バッフルの厚さは２ｍｍ〜６ｍｍの範囲内にある。
【００８５】
バッフル３１１１の厚さが大きすぎると、製品が重くなり、コストが高い。バッフル３１１１の厚さが小さすぎると、給水通路３１３や排水通路３１４の耐圧性が小さくなり、配管が破裂しやすい。したがって、バッフル３１１１の厚さを合理的に設置することが重要である。当社の技術者らは多くの実験と調査により以下のことを発見した。バッフル３１１１の厚さを２ｍｍ〜６ｍｍの範囲に限定すると、給水通路３１３及び排水通路３１４の耐圧性と使用信頼性を確保するだけでなく、製品の重量と生産コストを両立させることができる。
【００８６】
好ましくは、筐体の数は２つである。
【００８７】
筐体の数を２つに減らすことにより、水路ベース３１の構造と生産工程をより簡素化するため、生産コストのさらなる節約に有利である。当然のことながら、筐体の数は３つであっても、４つ以上であってもよく、いずれも本願の目的を実現でき、かつ、いずれも本願の設計思想及び趣旨から逸脱しないため、いずれも本願の保護範囲内にあるものとする。
【００８８】
好ましくは、筐体の耐水圧は３．２ＭＰａ以上である。
【００８９】
筐体の耐水圧を３．２ＭＰａ以上にすることで、配管が破裂する危険性を効果的に低減するため、集積水路モジュールの使用信頼性を保証する。
【００９０】
さらに、複数の筐体は溶接により成型された一体構造である。
【００９１】
複数の前記筐体は溶接により一体成型され、溶接構造は隣接する筐体間の接続強度を効果的に保証することができ、水路ベース３１の漏水の発生確率を効果的に低減することにより、水路ベース３１の使用信頼性をより向上させる。
【００９２】
好ましくは、隣接する筐体間の溶接深さは２ｍｍ〜６ｍｍの範囲内にある。
【００９３】
隣接する筐体間の溶接深さが小さすぎると、接続の信頼性が不十分になり、配管が破裂しやすい。隣接する筐体間の溶接深さが大きすぎると、コストが高い。したがって、隣接する筐体間の溶接深さを合理的に設置することも非常に重要である。当社の技術者らは多くの実験と調査により以下のことを発見した。隣接する筐体間の溶接深さを２ｍｍ〜６ｍｍの範囲に限定すると、溶接の信頼性を保証するだけでなく、生産コストも両立させることができる。
【００９４】
実施例３
実施例２に加えて、図２、図３、図４、図７及び図８に示すように、さらに、給水通路３１３の両端は、それぞれ第１給水口３１２４及び第２給水口３１２５として形成され、第１給水口３１２４は調理器具の内部配管に接続するために用いられ、第２給水口３１２５は外部配管７２に接続するために用いられ、排水通路３１４の両端は、それぞれ第１排水口３１２６と第２排水口３１２７として形成され、第１排水口３１２６は調理器具の内部配管に接続するために用いられ、第２排水口３１２７は外部配管７２に接続するために用いられることが、実施例２との異なる点である。
【００９５】
給水通路３１３の両端は、それぞれ第１給水口３１２４及び第２給水口３１２５として形成され、第２給水口３１２５は外部配管７２に接続するために用いられ、外部の水源（水道水、水タンクなど）が調理器具に水を供給できることを保証し、第１給水口３１２４は調理器具の内部配管に接続するために用いられ、集積水路モジュールが、調理器具の必要な部位（内鍋４０、洗浄キャビティなどの部位）に水を供給できることを保証して、自動給水機能を実現する。
【００９６】
排水通路３１４の両端は、それぞれ第１排水口３１２６及び第２排水口３１２７として形成され、第１排水口３１２６は調理器具の内部配管に接続するために用いられ、第２排水口３１２７は外部配管７２に接続するために用いられ、調理器具内部（内鍋４０、洗浄キャビティなどの部位）の水が集積水路モジュールに入ることができ、さらに外部配管７２に到達して排出されることを保証して、自動排水機能を実現する。
【００９７】
さらに、第２給水口３１２５及び第２排水口３１２７の開口は下向きであり、調理器具はそれぞれ第２給水口３１２５及び第２排水口３１２７に取り付けられた２つのＬ字状ジョイント７１をさらに含み、Ｌ字状ジョイント７１の一端は水路ベース３１に取り外し可能に接続され、Ｌ字状ジョイント７１の他端は外部配管７２に接続するために用いられる。
【００９８】
第２給水口３１２５及び第２排水口３１２７の開口は下向きであるため、これらの開口構造を隠すことが容易になり、製品の美観を向上させるだけでなく、外部配管７２を鉛直に上へ向かせて第２給水口３１２５及び第２排水口３１２７に接続させることが容易になり、図１０に示すとおりである。このように、外部配管７２は台面を貫通して下向きに延伸することができるため、外部配管７２を隠すことも容易になり、ユーザの使用快適さを向上させる。また、調理器具は２つのＬ字状ジョイント７１をさらに含み、２つのＬ字状ジョイント７１はそれぞれ第２給水口３１２５及び第２排水口３１２７に取り付けられ、Ｌ字状ジョイント７１により外部配管７２の配置方向を変更することができるため、外部配管７２を調理器具の後側に水平に配置することが容易になり、図９に示すように、Ｌ字状ジョイント７１が水路ベース３１に着脱可能に接続されるため、ユーザは自分のニーズに応じて外部配管７２の配置方向を合理的に選択することができ、それにより異なるユーザの異なるニーズを満たす。
【００９９】
さらに、水路ベース３１には、Ｌ字状ジョイント７１及び外部配管７２が挿着される挿着部が設けられている。
【０１００】
水路ベース３１にＬ字状ジョイント７１及び外部配管７２が挿着される挿着部（配管突起など）が設けられる場合、外部配管７２又はＬ字状ジョイント７１を第２給水口３１２５及び第２排水口３１２７に直接挿着すればよく、挿着方法の着脱手順が簡単で迅速であるため、組立効率の更なる向上に有利である。
【０１０１】
実施例４
実施例３に加えて、さらに、集積水路モジュール３０の底部には漏水検知領域が設けられ、漏水検知領域には漏水検知装置が設けられていることが、実施例３との異なる点である。
【０１０２】
集積水路モジュール３０の底部には漏水検知領域が設けられ、当該領域に漏水が相対的に発生しやすいため、当該領域に漏水検知装置を設けて集積水路モジュール３０の漏水の有無を検知することにより、調理器具の安全事故の発生確率を更に低減し、製品の安全性及び使用信頼性をより向上させるのに有利である。
【０１０３】
具体的には、漏水検知装置は第１漏水検知電極８１及び第２漏水検知電極８２を含み、図１１から図１３に示すように、第１漏水検知電極８１及び第２漏水検知電極８２は回路システムの制御ボードに電気的に接続され、制御ボードが検知結果に応じて前記調理器具の動作を制御するように、漏水検知領域の漏水の有無を検知して、検知結果を制御ボードに送信する。
【０１０４】
好ましくは、漏水検知領域は、電磁弁３２の給水端及び第２給水口３１２５などの給水アセンブリに近く、当該部位で漏水する可能性が高いため、当該部位に漏水検知装置を設けることはより大きい意義を持つ。
【０１０５】
漏水検知装置は第１漏水検知電極８１及び第２漏水検知電極８２を含み、第１漏水検知電極８１及び第２漏水検知電極８２は回路システムの制御ボードに電気的に接続され、制御ボードが検知結果に応じて調理器具の動作を制御するように、漏水検知領域の漏水の有無を検知して、検知結果を制御ボードに送信することができ、それにより製品の自動化の度合いを向上させる。具体的には、漏水検知領域に漏水が発生した場合、第１漏水検知電極８１と第２漏水検知電極８２とが水相を介して導通され、この時、制御ボードは調理器具が動作を停止するように制御して、安全事故の発生を防止する。漏水検知領域に漏水が発生していない場合、第１漏水検知電極８１と第２漏水検知電極８２とがオフ状態であり、制御ボードは調理器具が各機能を正常に実行するように制御する。
【０１０６】
さらに、調理器具は、制御ボードに電気的に接続され、前記漏水検知装置が前記漏水検知領域の漏水を検知したときに警報を発信することができる警報装置をさらに含む。
【０１０７】
調理器具は警報装置（例えば、ランプ、ブザー、音声報知器など）をさらに含み、警報装置は制御ボードに電気的に接続され、漏水検知装置が漏水検知領域の漏水を検知したとき、警報を発してユーザに通知し、ユーザが即時に電源を遮断するとともに、相応する処置を行いやすく、集積水路モジュールの漏水による悪影響を最大限に低減する。
【０１０８】
漏水検知領域には２つの取り付け用係止位置３１５が設けられ、図１１に示すように、第１漏水検知電極８１及び第２漏水検知電極８２をそれぞれ２つの取り付け用係止位置３１５に取り付ける。
【０１０９】
漏水検知領域に２つの取り付け用係止位置３１５が設けられている場合、組み立て時に、第１漏水検知電極８１及び第２漏水検知電極８２をそれぞれ２つの取り付け用係止位置３１５に取り付ければよく、組み立てプロセスが簡単で迅速である。
【０１１０】
実施例５
実施例４に加えて、さらに、図１４及び図１５に示すように、集積水路モジュールの外側には水路ハウジング９０がさらに設けられ、水路ハウジング９０の漏水検知領域に対応する部位に漏水孔９１が設けられていることが、実施例４との異なる点である。
【０１１１】
集積水路モジュールの外側には水路ハウジング９０がさらに設けられ、水路ハウジング９０の漏水検知領域に対応する部位に漏水孔９１が設けられ、これにより、漏水検知領域に漏水が発生した場合、水流が漏水孔９１に沿って下向きに排出されることができ、水流が下向きに漏れやすく、集積水路モジュールの底部に水が溜まるのを防ぐ。水路ハウジング９０は集積水路モジュール全体を覆うため、集積水路モジュールに対して良好な隔離機能を果たし、これにより、水路素子から漏水しても、調理器具内部のほかの領域に噴射せず、水路ハウジング９０の内壁にのみ噴射し、それにより高電圧回路の危険性を回避し、製品の安全性と使用信頼性をより向上させる。
【０１１２】
さらに、図１５に示すように、水路ハウジング９０の内底壁に上向きに延伸する内部突起９２が設けられ、内部突起９２内には漏水孔９１と連通する貫通孔が設けられ、かつ、内部突起９２の最高点は第１漏水検知電極８１及び第２漏水検知電極８２の最低点よりも高い。
【０１１３】
水路ハウジング９０の内底壁には上向きに延伸する内部突起９２が設けられ、内部突起９２内には漏水孔９１と連通する貫通孔が設けられる場合、内部突起９２と水路ハウジング９０の内底壁との間に水溜まり領域９４が形成され、第１漏水検知電極８１及び第２漏水検知電極８２が漏水状況をより正確に検知することが容易になり、内部突起９２の最高点が第１漏水検知電極８１及び第２漏水検知電極８２の最低点よりも高いため、第１漏水検知電極８１及び第２漏水検知電極８２が水溜まり領域９４の水に接触して、さらに漏水を正確に判定することを保証し、漏る水量が内部突起９２を超えると、漏水孔９１から排出することができ、水路ハウジング９０内に溜まり水が多過ぎることを回避する。
【０１１４】
さらに、図１５に示すように、水路ハウジング９０の外底壁には下向きに延伸する外部突起９３が設けられ、ケース１０の底部には排水孔が設けられ、外部突起９３は排水孔まで延伸し、かつ、外部突起９３内には漏水孔９１及び排水孔と連通する貫通孔が設けられている。
【０１１５】
ハウジングの外底壁上に下向きに延伸する外部突起９３が設けられ、ケース１０の底部には排水孔が設けられ、外部突起９３は排水孔まで延伸し、かつ、その内部には漏水孔９１及び排水孔と連通する貫通孔が設けられる場合、集積水路モジュールから漏れた水は、漏水孔９１及び排水孔に沿って製品の外部に排出され、調理器具内部に水が溜まることによる危険性を防止するため、製品の安全性及び使用信頼性をより向上させる。当然のことながら、漏水孔９１の下方に水受け皿等の構造を設けて、水が一定量まで溜まると、水受け皿を取り外して水を捨ててもよい。
【０１１６】
上記いずれか１つの実施例において、調理器具は電気炊飯器である。
【０１１７】
当然のことながら、電気炊飯器に限定されず、電気圧力鍋、蒸し用電気鍋、煮込み用電気鍋などであってもよい。
【０１１８】
以下、本願で提供される調理器具の具体的な構造について、１つの具体的なの実施例を参照しながら詳細に説明する。
【０１１９】
図１に示すように、電気炊飯器であって、内鍋４０、加熱領域、洗米装置（即ち、材料洗浄装置５０）、貯米ボックスアセンブリ（即ち、材料貯蔵装置６０）、少なくとも１つの集積回路モジュール２０、及び１つの集積水路モジュール３０を含む。
【０１２０】
具体的には、貯米ボックスアセンブリは、内鍋４０及び加熱領域に対して他方の側にあり、洗米装置は内鍋４０の上方にあり、集積水路モジュール３０は、給水電磁弁３２、流量計３３、及び吸引ポンプ３４を集積水路ブラケット３１２（即ち、２つの箱本体のうちの１つ）上に集積して取り付け、集積水路モジュール３０は集積回路モジュール２０から離れているが、集積水路モジュール３０と洗米装置との間の距離は相対的に近い。
【０１２１】
さらに、集積水路は、集積水路ブラケット３１２と集積水路ブラケット蓋３１１とを溶接して形成され、図２に示すように、集積水路の内側には、給水水路と排水水路の２つの水路があり、給水水路は、第１給水口３１２４、給水電磁弁３２、流量計３３、第２給水口３１２５及び内部溶接水路（即ち、給水通路３１３）から構成され、排水水路は、第１排水口３１２６、吸引ポンプ３４、第２排水口３１２７、及び内部溶接水路（すなわち、排水通路３１４）から構成される。
【０１２２】
さらに、集積水路は、炊飯器本体に取り付けられ、集積回路モジュール２０から離れているため、水と電気の分離を実現し、また、集積水路モジュール３０は、米箱からも離れているため、乾湿分離を実現した。
【０１２３】
ここで、集積水路ブラケット３１２は集積水路ブラケット蓋３１１（即ち、２つの箱体）を溶接して形成され、各水路の壁の厚さ（即ち、バッフル３１１１の厚さ）の範囲は２〜６ｍｍで、溶接深さは２〜６ｍｍで、水路ブラケット３１２の耐水圧は≧３．２ＭＰａである。当然のことながら、水路ブラケット３１２は２層溶接又は多層溶接にすることができる。
【０１２４】
さらに、集積水路の第１給水口３１２４は浄水機器に接続され、第２給水口３１２５は炊飯器の洗米装置に接続されて洗米装置に水を供給し、第１排水口３１２６は洗米装置に接続されて洗米後の汚濁水を抽出するために用いられ、第２排水口３１２７は配管を介して汚濁水を炊飯器の外部に排出する。
【０１２５】
さらに、集積水路モジュールは炊飯器の製品の端部に近く、好ましくは製品のヒンジ端に近く、すなわち製品の後側に近く、これにより、製品のハウジング上での給水口、排水口の位置に製品の美観が影響されない。
【０１２６】
これにより、集積水路モジュール３０を設計することで、配管及び水路素子を1つの比較的小さな領域に集積し、これにより、体積が小さいだけでなく、一体に集積されることにより漏水のリスクも低減する。また、貯米ボックス及び集積回路モジュール２０から離れているため、漏水による回路の短絡の危険性を低減し、かつ、構造がコンパクトで、組立作業性が良く、効率が高い。
【０１２７】
さらに、図９に示すように、集積水路モジュール３０には、２つのＬ字状クイックジョイントがさらに装備され、集積水路モジュール３０とＬ字状クイックジョイントにより、電気炊飯器の水路の取り付けの技術的手段は２種類ある。
【０１２８】
技術的手段１、２つのＬ字状クイックジョイントが集積水路モジュール３０内に上向きに挿入され、外部接続水路が背面からクイックジョイントに挿入されるにより、水道管（即ち、外部配管７２）が炊飯器の後方に配置され、図９に示すとおりである。
【０１２９】
技術的手段２、外部配管（即ち、外部配管７２）は下から上向きに集積水路モジュール３０に直接挿入されることにより、水道管が炊飯器の底部にあり、炊飯器は台面の上に置かれ、管路は台面の下側に配置され、図１０に示すとおりである。
【０１３０】
これにより、Ｌ型クイックジョイントを設計することにより、炊飯器に下及び背面から水を供給する２つの配置方法を解決した。
【０１３１】
さらに、図１１に示すように、集積水路モジュール３０の底部に漏水検知領域があり、漏水検知領域は第１給水口３１２４と電磁弁３２の給水口に近く、漏水検知領域に取り付け用係止位置３１５があり、第１漏水検知電極８１及び第２の漏水検知電極８２はそれぞれ取り付け用係止位置３１５に取り付けられ、ここで、第１漏水検知電極８１及び第２漏水検知電極８２は、制御ボードに電気的に接続され、集積水路モジュール３０から漏水すると、第１漏水電極及び第２漏水電極により漏水が検知され、炊飯器が動作を停止し、警報を発信する。
【０１３２】
これにより、２つの電極を設計することにより、漏水が発生した後に２つの電極が導通され、漏水の検知に用いることができる。当然のことながら、漏水検知に他の技術的手段を用いてもよく、漏水検知領域が異なる方位にあってもよい。
【０１３３】
さらに、図１４に示すように、集積水路モジュール３０の外辺には水路ハウジング９０がさらに取り付けられ、水路ハウジング９０の底部に外部突出部（即ち、外部突起９３）があり、内向きに内部突出部（即ち、内部突起９２）があり、２つの突出部の間に漏水孔９１があり、内部突出部が水路ハウジング９０の底面から突出し、かつ、漏水検知電極の最低面よりも高く、図１５に示すとおりである。これにより、内部突出部の頂面と水路ハウジング９０の底面との間に、内部貯水領域（即ち、水溜まり領域９４）があり、集積水路モジュール３０から水が漏れるとき、水が内部貯水領域に溜まり、この時、２つの漏水検知電極により漏水が検知され、水がますます多くなって内部突出部の頂面を越えると、水は漏水孔９１から水路ハウジング９０の外に流出する。
【０１３４】
さらに、漏水孔９１は外部突出部を介して電気炊飯器の底側ケースを通過する貫通孔（即ち、排水孔）であり、水を炊飯器から排出することにより、炊飯器の内部に水が溜まることによる危険性を防ぐ。
【０１３５】
水路ハウジング９０は、集積水路全体を覆うものとしても機能し、これにより、各部材から漏水しても電気炊飯器の内部の他の領域に噴射することがないため、高電圧回路の危険性を引き起こさず、すなわち、漏水は水路ハウジング９０の内壁にのみ噴射され、内壁に沿って内部貯水領域に流れ、さらに多くなると、漏水孔９１から炊飯器の外に流出する。
【０１３６】
これにより、集積水路ハウジング９０と漏水孔９１を設計することにより、集積水路に漏水が多過ぎると、漏水孔９１から炊飯器の外に流出して、高電圧回路の危険性を引き起こさないことを保証する。当然のことながら、内部突出部及び外部突出部を省略してもよい。
【０１３７】
要約すると、本願にて提供される調理器具は、水路素子を一体に集積して集積水路モジュールを形成することにより、水路素子のモジュール化を実現し、構造がコンパクトで、取り付けが簡単であり、かつ、ジョイント部位を減らし、さらに漏水リスクを低減した。また、集積水路モジュール及び回路システムがそれぞれ水路領域と回路領域に配置され、水路領域と回路領域とが分散して配置されるため、水と電気の分離を実現し、製品内部の漏水による回路の短絡の危険性を低減し、製品の安全性及び使用信頼性を向上させた。
【０１３８】
本願において、用語「第１」、「第２」、及び「第３」は、目的を説明するためのものであり、相対的な重要性の指示又は示唆として理解されることができない。特に明記しない限り、用語「複数」は２つ以上を指す。用語「取り付け」、「連結」、「接続」、「固定」などはいずれも広義に理解されるべきである。例えば、「接続」は、固定的に接続されてもよいし、着脱可能に接続されてもよく、又は一体的に接続されてもよい。「連結」は、直接連結されてもよいし、中間媒介を介して間接的に接続されてもよい。当業者であれば、具体的な状況に基づいて本願における上記用語の具体的な意味を理解することができる。
【０１３９】
なお、本願の説明において、「上」、「下」、「左」、「右」、「前」、「後」などの用語で示す方位又は位置関係は、図面に示す方位又は位置関係に基づくものであり、本願を説明しやすく、説明を簡単にするためだけに用いられ、示している装置又はユニットが必ず特定の方向有し、特定の方位構造と操作を有することを指示又は暗示することではないことを理解されるべきである。そのため、本願を限定するものと理解すべきではない。
【０１４０】
本明細書の説明において、用語である「１つの実施例」、「一部の実施例」、「具体的な実施例」などの記述は、当該実施例又は例示に記載された具体的な特徴、構造、材料又は特性を参照して本願の少なくとも１つの実施例又は例示に含まれていることを意図するものである。本明細書において、上記用語に関する例示的な記述は、必ずしも同一の実施例又は例示を言うものとは限らない。また、記載されている具体的な特徴、構造、材料又は特性をいずれかの１つ又は複数の実施例又は例示において適当な方式で組み合わせることができる。
【０１４１】
上記の内容は、本願の好ましい実施例に過ぎず、本願を限定するものではない。当業者であれば、本願に様々な修正や変更が可能である。本願の趣旨及び原則を逸脱しない範囲でなされたすべての修正、均等置換、改良などは、いずれも本願の保護範囲に含まれるものとする。
【符号の説明】
【０１４２】
図１〜図１５における符号と部材名称との対応関係は次のとおりである。
１  ０  ケース
２０  集積回路モジュール
３０  集積水路モジュール
３１  水路ベース
３１１  ブラケット蓋
３１１１  バッフル
３１２  水路ブラケット
３１２１  第１接続孔
３１２２  第２接続孔
３１２３  第３接続孔
３１２４  第１給水口
３１２５  第２給水口
３１２６  第１排水口
３１２７  第２排水口
３１３  給水通路
３１４  排水通路
３１５  取り付け用係止位置
３２  電磁弁
３３  流量計
３４  吸引ポンプ
４０  内鍋
５０  材料洗浄装置
６０  材料貯蔵装置
７１  Ｌ字状ジョイント
７２  外部配管
８１  第１漏水検知電極
８２  第２漏水検知電極
９０  水路ハウジング
９１  漏水孔
９２  内部突起
９３  外部突起
９４  水溜まり領域
【図１】
2021517845.tif 000003
【図２】
2021517845.tif 000004
【図３】
2021517845.tif 000005
【図４】
2021517845.tif 000006
【図５】
2021517845.tif 000007
【図６】
2021517845.tif 000008
【図７】
2021517845.tif 000009
【図８】
2021517845.tif 000010
【図９】
2021517845.tif 000011
【図１０】
2021517845.tif 000012
【図１１】
2021517845.tif 000013
【図１２】
2021517845.tif 000014
【図１３】
2021517845.tif 000015
【図１４】
2021517845.tif 000016
【図１５】
2021517845.tif 000017
【手続補正書】
【提出日】令和2年10月15日(2020.10.15)
【手続補正１】
【補正対象書類名】特許請求の範囲
【補正対象項目名】全文
【補正方法】変更
【補正の内容】
【特許請求の範囲】
【請求項１】
分散して設けられた、加熱領域と水路領域と回路領域とが内部に画定されているケースと、
前記回路領域に配置される回路システムと、
内部に給水通路と排水通路が設けられている水路ベースと、
前記水路ベースに取り付けられるとともに前記給水通路と連通する給水アセンブリと、  前記水路ベースに取り付けられるとともに前記排水通路と連通する排水アセンブリとを含み、前記水路領域に配置される集積水路モジュールとを含む調理器具。
【請求項２】
前記水路領域は、前記調理器具の後縁に近い請求項１に記載の調理器具。
【請求項３】
前記ケース内には、前記水路領域と離間して設けられた貯蔵領域がさらに画定され、前記調理器具は、前記貯蔵領域に配置された材料貯蔵装置をさらに含み、前記貯蔵領域と前記水路領域との間の距離は前記回路領域と前記水路領域との間の距離よりも大きく、及び／又は
前記調理器具は、前記加熱領域に設けられた材料洗浄装置をさらに含み、前記加熱領域は、前記水路領域に隣接して設けられ、及び／又は
前記回路システムは、少なくとも１つの集積回路モジュールを含み、前記回路領域の数は、前記集積回路モジュールの数と等しく、かつ、１対１に対応し、及び／又は
前記給水アセンブリは電磁弁を含み、前記水路ベースには前記給水通路と連通する２つの第１接続孔が設けられ、前記電磁弁の給水端と排水端はそれぞれ２つの前記第１接続孔に接続されて、前記給水通路の開閉を制御し、及び／又は
前記給水アセンブリは流量計を含み、前記水路ベースには前記給水通路と連通する２つの第２接続孔が設けられ、前記流量計の給水端と排水端はそれぞれ２つの前記第２接続孔に接続され、及び／又は
前記排水アセンブリは吸引ポンプを含み、前記水路ベースには前記排水通路と連通する２つの第３接続孔が設けられ、前記吸引ポンプの給水端と排水端はそれぞれ２つの前記第３接続孔に接続されている請求項１または２に記載の調理器具。
【請求項４】
前記水路ベースは順番に組み合わせて接続された複数の筐体を含み、隣接する前記筐体のうちの少なくとも１つには複数のバッフルが設けられ、複数の前記バッフルにより流体通路を画定し、前記流体通路と、それに隣接する前記筐体とを組み合わせして前記給水通路及び／又は前記排水通路を形成する請求項１または２に記載の調理器具。
【請求項５】
前記バッフルの厚さは２ｍｍ〜６ｍｍの範囲内であり、及び／又は
前記筐体の数は２つであり、及び／又は
前記筐体の耐水圧は３．２ＭＰａ以上であり、
複数の前記筐体は溶接により成型された一体構造であり、
隣接する前記筐体間の溶接の深さは２ｍｍ〜６ｍｍの範囲内である請求項４に記載の調理器具。
【請求項６】
前記給水通路の両端は、それぞれ第１給水口及び第２給水口として形成され、前記第１給水口は前記調理器具の内部配管に接続するために用いられ、前記第２給水口は外部配管に接続するために用いられ、
前記排水通路の両端は、それぞれ第１排水口と第２排水口として形成され、前記第１排水口は前記調理器具の内部配管に接続するために用いられ、前記第２排水口は外部配管に接続するために用いられ、
前記第２給水口及び前記第２排水口の開口は下向きであり、前記調理器具はそれぞれ前記第２給水口及び前記第２排水口に取り付けられた２つのＬ字状ジョイントをさらに含み、前記Ｌ字状ジョイントの一端は前記水路ベースに取り外し可能に接続され、前記Ｌ字状ジョイントの他端は前記外部配管に接続するために用いられ、
前記水路ベースには、前記Ｌ字状ジョイント及び前記外部配管が挿着するための挿着部が設けられている請求項１または２に記載の調理器具。
【請求項７】
前記集積水路モジュールの底部には漏水検知領域が設けられ、前記漏水検知領域には漏水検知装置が設けられており、
前記漏水検知装置は、第１漏水検知電極及び第２漏水検知電極を含み、
前記第１漏水検知電極及び前記第２漏水検知電極は、前記回路システムの制御ボードに電気的に接続され、前記制御ボードが検知結果に応じて前記調理器具の動作を制御するように、前記漏水検知領域の漏水の有無を検知して、前記検知結果を前記制御ボードに送信することに用いられる請求項１または２に記載の調理器具。
【請求項８】
前記調理器具は、前記制御ボードに電気的に接続され、前記漏水検知装置が前記漏水検知領域の漏水を検知したときに警報を発信することができる警報装置をさらに含み、及び／又は
前記漏水検知領域には２つの取り付け用係止位置が設けられ、前記第１漏水検知電極及び前記第２漏水検知電極はそれぞれ２つの前記取り付け用係止位置に係着される請求項７に記載の調理器具。
【請求項９】
前記集積水路モジュールの外側には水路ハウジングがさらに設けられ、前記水路ハウジングの前記漏水検知領域に対応する部位に漏水孔が設けられている請求項７に記載の調理器具。
【請求項１０】
前記水路ハウジングの内底壁に上向きに延伸する内部突起が設けられ、前記内部突起内には前記漏水孔と連通する貫通孔が設けられ、かつ、前記内部突起の最高点は前記第１漏水検知電極及び前記第２漏水検知電極の最低点よりも高く、及び／又は
前記水路ハウジングの外底壁には下向きに延伸する外部突起が設けられ、前記ケースの底部には排水孔が設けられ、前記外部突起は前記排水孔まで延伸し、かつ、前記外部突起内には前記漏水孔及び前記排水孔に連通する貫通孔が設けられている請求項９に記載の調理器具。
【国際調査報告】
2021517845.tif 000018
2021517845.tif 000019
2021517845.tif 000020
2021517845.tif 000021